(57)【要約】【課題】手芸用の糸を、外観上の体裁よく、かつ効率よく糸巻に巻き取ることができる糸巻取り器を提供する。【解決手段】本発明の糸巻取り器Ａは、ディスク状の糸巻Ｓに糸を巻き取るためのものであって、フレーム１と、フレーム１に対して軸心Ｃ１周りに回転可能に支持された回転部材２と、回転部材２を回転させるための操作部２３と、回転部材２における軸心Ｃ１から所定距離を隔てた部位に形成された糸通し穴２５と、フレーム１に対して軸心Ｃ１と異なる軸心Ｃ２周りに回転可能に支持された回転軸３と、回転部材２の回転動作に連動して回転軸３を所定のピッチで回転させる連動手段４と、回転軸３に対し、糸巻Ｓを固定するための固定手段６と、を備え、回転軸３に糸巻Ｓが固定された状態において、糸巻Ｓが、回転部材２の回転動作に伴う糸通し穴２５の回転軌道の内側において、上記回転軌道を含む平面と交差するように構成されている。【選択図】図２
2008006148.tif 000002
【特許請求の範囲】
【請求項１】
ディスク状の糸巻に糸を巻き取るための糸巻取り器であって、
フレームと、このフレームに対して第１の軸心周りに回転可能に支持された回転部材と、上記回転部材を回転させるための操作部と、上記回転部材における上記第１の軸心から所定距離を隔てた部位に形成された糸通し穴と、上記フレームに対して上記第１の軸心と異なる第２の軸心周りに回転可能に支持された回転軸と、上記回転部材の回転動作に連動して上記回転軸を所定のピッチで回転させる連動手段と、上記回転軸に対し、上記糸巻を固定するための固定手段と、を備え、
上記回転軸に上記糸巻が固定された状態において、上記糸巻が、上記回転部材の回転動作に伴う上記糸通し穴の回転軌道の内側において、上記回転軌道を含む平面と交差するように構成されている、糸巻取り器。
【請求項２】
上記連動手段は、上記回転部材が１回転するごとに、上記回転部材に設けられた突起と上記回転部材の回転経路脇に設けられた回転体との係合によって、上記回転体が所定量回転し、上記回転体に形成された歯車と上記回転軸に形成された歯車との係合によって、上記回転軸が上記所定のピッチで回転するように構成されている、請求項１に記載の糸巻取り器。
【請求項３】
上記連動手段による上記回転軸の回転時にのみ上記回転軸の回転を許容し、かつ、上記回転軸の回転時以外においては上記回転軸の回転を規制することが可能なロック機構をさらに備える、請求項２に記載の糸巻取り器。
【請求項４】
上記ロック機構は、上記回転軸の歯車と係合して上記回転軸の回転を規制する係止部材を備えており、上記回転部材に形成されたガイド部により、上記回転軸の回転時にのみ上記回転軸の歯車と上記係止部材との係合状態が解除され、かつ、上記回転軸の回転時以外においては上記係合状態が維持されるように構成されている、請求項３に記載の糸巻取り器。
【請求項５】
上記固定手段は、上記回転軸の先端に上記糸巻を相対回転不能に装着するとともに、上記糸巻を上記回転軸との間で挟み込む挟持部材により上記糸巻の厚み方向への移動を規制するように構成されている、請求項１ないし４のいずれかに記載の糸巻取り器。
【請求項６】
上記第１の軸心と上記第２の軸心とが直交する、請求項１ないし５のいずれかに記載の糸巻取り器。
【請求項７】
請求項１ないし６のいずれかに記載の糸巻取り器と、この糸巻取り器に取り付けられるディスク状の糸巻とを有する、糸巻取り器セット。
【発明の詳細な説明】
【技術分野】
【０００１】
本発明は、刺繍糸などの手芸用の糸を糸巻に巻き取るための糸巻取り器、およびこれと糸巻とを有する糸巻取り器セットに関する。
【背景技術】
【０００２】
手芸の分野において用いられる刺繍糸は、例えば、所定長さで折返して束ねられた、いわゆる「かせ」の状態で販売されている。かせ状態の刺繍糸は、そのままでは刺繍作業の際に糸がばらけて絡まり易いなどの不都合がある。このため、あらかじめ矩形平板状の台紙などからなる糸巻に刺繍糸を巻き取り、当該糸巻に巻き取られた刺繍糸を用いて刺繍作業を行うといった方法が採用される場合がある。
【０００３】
上記した台紙などからなる糸巻は、一般に、手で刺繍糸を巻き取るための簡易なものであるので、当該糸巻に巻き取られる刺繍糸は、不揃いになりやすく、外観上の見栄えが悪いものとなる傾向にある。趣味性の高い手芸の分野においては、こういった糸巻などの手芸用具一つにしても、美しさや可愛らしさなどの見栄えの良さが要求される場合がある。しかしながら、上記した台紙などからなる糸巻では、こういった見栄えの良さについての要求に応えることができなかった。
【発明の開示】
【発明が解決しようとする課題】
【０００４】
本発明は、このような事情のもとで考え出されたものであって、刺繍糸などの手芸用の糸を、外観上の体裁よく、かつ効率よく糸巻に巻き取ることができる糸巻取り器を提供することを課題とする。
【課題を解決するための手段】
【０００５】
上記の課題を解決するため、本発明では、次の技術的手段を講じている。
【０００６】
本発明の第１の側面によって提供される糸巻取り器は、ディスク状の糸巻に糸を巻き取るための糸巻取り器であって、フレームと、このフレームに対して第１の軸心周りに回転可能に支持された回転部材と、上記回転部材を回転させるための操作部と、上記回転部材における上記第１の軸心から所定距離を隔てた部位に形成された糸通し穴と、上記フレームに対して上記第１の軸心と異なる第２の軸心周りに回転可能に支持された回転軸と、上記回転部材の回転動作に連動して上記回転軸を所定のピッチで回転させる連動手段と、上記回転軸に対し、上記糸巻を固定するための固定手段と、を備え、上記回転軸に上記糸巻が固定された状態において、上記糸巻が、上記回転部材の回転動作に伴う上記糸通し穴の回転軌道の内側において、上記回転軌道を含む平面と交差するように構成されていることを特徴としている。
【０００７】
このような構成の糸巻取り器によれば、ディスク状の糸巻を回転軸に固定し、操作部を操作することにより、刺繍糸などを効率よく糸巻に巻き取ることができる。具体的には、回転部材の糸通し穴を通した糸の糸端を所定形状を有するディスク状の糸巻に引っ掛けるとともにディスク状の糸巻を回転軸に固定したうえで、操作部を操作し、回転部材を回転させる。回転軸に固定されたディスク状の糸巻は、回転部材の回転動作に伴う糸通し穴の回転軌道の内側にて当該回転軌道を含む平面と交差しているので、回転部材が回転すると、回転部材の糸通し穴から糸巻側に導き出された糸は、ディスク状の糸巻に巻き取られる。このとき、糸は、糸通し穴を通じて糸巻側に供給され続ける。また、回転軸は、回転部材の回転動作に連動して所定のピッチで回転するので、糸巻における糸が掛け回される部位は、順次一定のピッチで移行する。ディスク状の糸巻としては、例えば外周縁に複数の凹部が一定ピッチで歯車状に形成されたものを好適に用いることができる。歯車状の凹部を有する糸巻を用いれば、糸が掛け回される部位が規則的に移行する。したがって、糸巻に巻取られた糸は、外観上の体裁が良いものとなる。
【０００８】
本発明の好ましい実施の形態においては、上記連動手段は、上記回転部材が１回転するごとに、上記回転部材に設けられた突起と上記回転部材の回転経路脇に設けられた回転体との係合によって、上記回転体が所定量回転し、上記回転体に形成された歯車と上記回転軸に形成された歯車との係合によって、上記回転軸が上記所定のピッチで回転するように構成されている。
【０００９】
このような構成によれば、操作部を回転操作することにより回転部材に与えられた回転力は、回転部材ないし回転軸に介在する歯車機構によって、適確に回転軸に伝達される。したがって、このような歯車機構を採用する構成は、回転軸を所定のピッチで適正に回転させるうえで好適である。
【００１０】
本発明の好ましい実施の形態においては、上記連動手段による上記回転軸の回転時にのみ上記回転軸の回転を許容し、かつ、上記回転軸の回転時以外においては上記回転軸の回転を規制することが可能なロック機構をさらに備える。
【００１１】
本発明の好ましい実施の形態においては、  上記ロック機構は、上記回転軸の歯車と係合して上記回転軸の回転を規制する係止部材を備えており、上記回転部材に形成されたガイド部により、上記回転軸の回転時にのみ上記回転軸の歯車と上記係止部材との係合状態が解除され、かつ、上記回転軸の回転時以外においては上記係合状態が維持されるように構成されている。
【００１２】
このような構成によれば、回転軸が所定の回転時以外において不当に回転するといった不具合を適切に防止することができる。
【００１３】
本発明の好ましい実施の形態においては、上記固定手段は、上記回転軸の先端に上記糸巻を相対回転不能に装着するとともに、上記糸巻を上記回転軸との間で挟み込む挟持部材により上記糸巻の厚み方向への移動を規制するように構成されている。
【００１４】
このような構成によれば、糸巻の回転軸に対する固定状態を適切に維持することができる。
【００１５】
本発明の好ましい実施の形態においては、上記第１の軸心と上記第２の軸心とが直交する。
【００１６】
本発明の第２の側面では、上述した本発明の第１の側面において記載した、糸巻取り器と、この糸巻取り器に取り付けられるディスク状の糸巻とを有する、糸巻取り器セットが提供される。
【００１７】
上記セットは、第１の側面に記載した特徴を有していることから、先に説明した糸巻取り器の利点を享受することができる。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態について、図面を参照して具体的に説明する。
【００２０】
図１〜図５は、本発明に係る糸巻取り器の一例を示している。図１は、本実施形態の糸巻取り器Ａの平面図である。本実施形態の糸巻取り器Ａは、フレーム１、回転部材２、回転軸３、連動機構４、ロック機構５、および固定部６を備えており、ディスク状の糸巻Ｓに糸を巻き取るためのものである。糸巻取り器Ａを構成する各部材は、例えばＡＢＳ樹脂やポリアミド樹脂などの所定の強度を有する合成樹脂によって形成されている。なお、説明の便宜上、図１を基準として上下の方向を特定することにする。
【００２１】
フレーム１は、他の部材を収容保持する部材であり、糸巻取り器Ａの基本構造をなす部分である。フレーム１は、図２および図３に表れているように、上下２つの部材（上側フレーム１２および下側フレーム１１）を融着などの手段により接合して一体とされたものである。下側フレーム１１は、基部１１１と、回転部材２を支持するための支持部１１２と、回転軸３を支持するための軸部１１３とを備える。支持部１１２は、略半円形に沿って形成されており、その断面が略コの字状に形成されている。上側フレーム１２は、基部１２１と、回転部材２を支持するための支持部１２２と、回転軸３を支持するための筒部１２３とを備える。支持部１２２は、略半円形に沿って形成されており、その断面が略コの字状に形成されている。
【００２２】
回転部材２は、筒部２１と、筒部２１の一端を塞ぐ蓋部２２と、操作部２３とを備え、筒部２１の外周面には、段部２４が形成されている。この段部２４がフレーム１の支持部１１２，１２２に嵌合することにより、回転部材２は、フレーム１に対して所定の軸心Ｃ１周りに回転可能に支持されている。また、回転部材２には、筒部２１の内面において、蓋部２２の外周近傍から軸心Ｃ１と略平行に延びる糸通し穴２５が形成されている。本実施形態では、糸通し穴２５は、図３に表れているように、軸心Ｃ１を挟んで対向する２箇所に設けられている。操作部２３は、回転部材２の筒部２１ないし蓋部２２から連設して筒部２１の半径方向外方に延びるように形成されている。操作部２３の先端には、軸心Ｃ１と略平行に延びる把持部が形成されており、使用者が手で握って回転部材２を回転させ易くなっている。また、操作部２３の適所には、糸通し穴２６，２７が設けられている。
【００２３】
回転軸３は、全体として筒状を呈する軸部３１と、軸部３１の下端部外面に形成された歯車３２（歯数１６）と、を備える。回転軸３は、軸部３１の下端部が下側フレーム１１の軸部１１３に外嵌され、かつ、軸部３１の中央部が上側フレーム１２の筒部１２３に内嵌されるようにして装着されている。これにより、回転軸３は、フレーム１に対して所定の軸心Ｃ２周りに回転可能に支持されている。また、回転軸３の外面には、段部３３が形成されている。この段部３３が上側フレーム１２の筒部１２３の付け根内面に突出形成された鍔部１２４に当接することにより、回転軸３は、軸心Ｃ２に沿う方向への移動が阻止されている。なお、本実施形態の糸巻取り器Ａにおいては、回転部材２の回転中心である軸心Ｃ１と、回転軸３の回転中心である軸心Ｃ２とが直交するように構成されている。
【００２４】
連動機構４は、回転部材２の回転動作に連動して回転軸３を所定のピッチで回転させるためのものであり、図２または図４に表れているように、回転部材２の段部２４の外周面に形成された突起２４１と、回転部材２の回転経路脇に設けられた回転体４１と、回転軸３の歯車３２とを備えて構成されている。突起２４１は、回転部材２の操作部２３に対応する位置（１箇所）に設けられている。回転体４１は、下側フレーム１１の基部１１１から立設するピン１１４に軸支されており、軸心Ｃ２に平行な軸心周りに回転可能となっている。回転体４１は、上下に並ぶ２つの小歯車４１１，４１２が一体回転するように構成されている。小歯車４１１は、回転部材２の回転動作により、回転部材２に設けられた突起２４１と係合する部分であり、小歯車４１２は、回転軸３の歯車３２と係合する部分である。このような構成から理解できるように、回転部材２が１回転すると、回転体４１は、突起２４１と小歯車４１１との係合によって小歯車４１１の１ピッチ分回転し、また、回転軸３は、小歯車４１２と歯車３２との係合によって歯車３２の１ピッチ分回転する。
【００２５】
ロック機構５は、連動機構４による回転軸３の回転時にのみ回転軸３の回転を許容するとともに、連動機構４による回転軸３の回転時以外において回転軸３の回転を規制するためのものであり、図４または図５に表れているように、回転部材２に設けられたガイド部２４２と、係止レバー５１とを備えて構成されている。係止レバー５１は、全体として略コの字状を呈しており、その一端部には回転軸３の歯車３２の一部の歯と係合するための係合凹部５１１が形成され、他端部には上向きに延びる突起５１２が形成されている。係止レバー５１は、係合凹部５１１が回転軸３の歯車３２に近接して当該歯車３２と係合する状態と、係合凹部５１１が歯車３２から離反して歯車３２との係合が解除する状態とをとり得るように、下側フレーム１１の所定の収容部においてスライド可能（図４における左右紙面方向にスライドする）に装着されている。
【００２６】
ガイド部２４２は、図５に表れているように、回転部材２の段部２４の外周において、当該回転部材２の回転方向に沿って鍔状に突出形成された第１ガイド部２４３と、突起状の第２ガイド部２４４とから構成されている。第１ガイド部２４３は、突起２４１に対応する位置に切欠き２４５を有しており、切欠き２４５を挟む両端には、突起２４１に向かう傾斜面２４３ａが設けられている。第２ガイド部２４４は、切欠き２４５を挟んで突起２４１に対向する位置に形成されており、回転部材２の回転方向の両端には、第１ガイド部２４３の傾斜面２４３ａと対面する傾斜面２４４ａが設けられている。
【００２７】
係止レバー５１の突起５１２は、回転軸３の回転時以外においては、図２および図４に表れているように、第１ガイド部２４３の右側に位置している。これにより、係止レバー５１の係合凹部５１１と回転軸３の歯車３２とが係合する。回転部材２を回転させると、連動機構４が作用する回転軸３の回転時には、係止レバー５１の突起５１２が傾斜面２４３ａ，２４４ａにより誘導されて切欠き２４５を通過するように突起２４１側へ変位する。この時、係止レバー５１の係合凹部５１１と回転軸３の歯車３２との係合状態が解除さされる。図５においては、回転部材２の回転に伴って突起５１２が回転部材２に対して相対的に変位する様子を仮想線で表している。このようなことから理解できるように、連動機構４による回転軸３の回転時にのみ回転軸３の歯車３２と係止レバー５１の係合凹部５１１との係合状態が解除され、連動機構４による回転軸３の回転時以外の時には上記係合状態が維持される。
【００２８】
下側フレーム１１の適所には、ストッパ部材７が装着されている。ストッパ部材７は、回転体４１の小歯車４１１および回転軸３の歯車３２をそれぞれの半径方向内方に向けて適度な弾発力で押圧している。これにより、回転部材２の回転操作において、連動機構４の遊びによるがたつきを防止するとともに、回転軸３が１ピッチ分回転する際に適度な節度感を持たせることができる。
【００２９】
固定部６は、ディスク状の糸巻Ｓを回転軸３に所定の姿勢で固定するためのものであり、回転軸３の軸部３１の上端部外面に形成された糸巻装着部３４と、糸巻Ｓを挟み込むための係止ピン６１と、軸部３１の上端部内側に形成された筒状の係止ピン取付部３５とを備えて構成されている。糸巻装着部３４は、多角形状の外周面を有しており、糸巻Ｓの中央に形成された多角形状の穴（図示せず）と嵌合することにより、糸巻Ｓを水平姿勢で相対回転不能に装着する部分である。係止ピン６１は、把持部６１１と、糸巻Ｓと当接する係止部６１２と、係止ピン取付部３５に挿入する軸部６１３とを有しており、軸部６１３の先端にはストッパ用の段部６１４が突出形成されている。係止ピン取付部３５は、係止ピン６１の軸部６１３を挿入する穴３５１と、段部６１４を通すための溝部３５２とを有している。係止ピン６１の装着時においては、係止ピン６１の段部６１４および係止ピン取付部３５の溝部３５２の位置をずらしておくと、係止ピン６１に引き抜き力が作用しても、段部６１４が係止ピン取付部３５の下端と当接して係止ピン６１が不用意に抜け出すことはなく、糸巻Ｓを回転軸３と係止ピン６１の間で挟み込んだ固定状態が適切に維持される。
【００３０】
糸巻取り器Ａに取り付ける糸巻Ｓとしては、外周縁に複数の凹部が等間隔に形成された歯車状のものが好適に用いられる。糸巻Ｓに形成された凹部の数は、回転軸３の歯車３２の歯数と同数の１６個とされている。
【００３１】
次に、上述の如く構成された糸巻取り器Ａの使用例および作用について、図面を参照しつつ説明する。
【００３２】
まず、糸巻Ｓに巻き取るための糸Ｙを準備し、図６に表れているように、糸端を回転部材２の糸通し穴２７，２６，２５の順に通す。そして、糸通し穴２５の回転軸３側の端部２５ａから導出された糸端を糸巻Ｓに設けられたフック（図示せず）に引っ掛け、糸巻Ｓを回転軸３に固定する。ここで、回転軸３に固定された糸巻Ｓは、その一部が回転部材２の筒部２１の内側空間に入り込む姿勢となる。
【００３３】
糸Ｙを糸巻Ｓに巻き取る作業は、回転部材２を軸心Ｃ１周りに回転させることにより行う。回転部材２の回転操作は、フレーム１を片方の手で押さえ、回転部材２の操作部２３をもう片方の手の指で握って一方向（例えば図６の右側面視における時計回り：同図の矢印Ｎ１方向）に回すことにより、容易に行うことができる。回転部材２が回転すると、糸通し穴２５の端部２５ａが通過する軌道は、軸心Ｃ１を中心とする一定円を辿る回転軌道となる。ここで、図２および図６から理解できるように、糸巻Ｓは、糸通し穴２５の端部２５ａの回転軌道の内側において、回転軌道を含む平面と垂直に交差する姿勢となっている。このため、回転部材２を回転させると、糸通し穴２５の端部２５ａから糸巻Ｓ側に導出された糸Ｙは、糸巻Ｓのうち、上記回転軌道を含む平面と交差する部位において掛け回される。このとき、糸Ｙは、糸通し穴２５を通じて糸巻Ｓ側に供給され続ける。本実施形態では、糸巻Ｓがまったく動かないと仮定すると、６つ隔てた２箇所の凹部において糸Ｙが巻き取られることになる。ここで、糸Ｙが糸巻Ｓに巻き取られるときの糸の張力は、操作部２３の糸通し穴２７から延びる部分を指で軽く摘むことにより、適度に調整することができる。
【００３４】
回転部材２を回転させると、回転部材２が１回転するごとに、連動機構４の作用により回転軸３が所定ピッチ回転する。具体的には、操作部２３が垂直下向きの位置を通過する時に、回転部材２ないし回転軸３に介在する歯車機構により、回転軸３は、平面視において反時計回りに１ピッチ分回転する（図７参照）。そうすると、糸巻Ｓにおける糸Ｙが掛け回される部位が順次１ピッチずつ規則的に移行することになり、糸Ｙは、糸巻Ｓの上面においては５つ隔てた凹部において巻き取られ（図７参照）、糸巻Ｓの下面においては６つ隔てた凹部において巻き取られる。したがって、このようにして糸巻Ｓに巻き取られた糸Ｙは、規則的な外観形態を有することになり、外観上の体裁が良いものとなる。また、糸巻取り器Ａを使用すれば、回転部材２を回転させるだけで糸Ｙが糸巻Ｓに自ずと巻き取られていくことになるので、糸の巻取り作業を簡単かつ効率よく行うことができる。なお、回転部材２は、図６の矢印Ｎ１の方向のみならず、それとは反対の方向にも回転させることが可能であるので、回転部材２を回転させる方向は使用者が操作しやすい方向とすればよく、使用者が右利きまたは左利きのいずれの場合であっても、使い勝手がよいものとなる。
【００３５】
糸巻取り器Ａにおいては、ロック機構５が設けられているので、連動機構４による回転軸３の回転時にのみ回転軸３の回転が許容され、それ以外の時には回転軸３の回転が規制される。このため、回転軸３が所定の回転時以外において不当に回転することは防止される。
【００３６】
また、糸巻取り器Ａにおいては、ストッパ部材７が設けられていることにより、回転軸３の回転時に２ピッチ分以上回転するというような誤動作は防止され、回転部材２が１回転するごとに回転軸３が１ピッチ分回転することが保証される。したがって、ストッパ部材７は、連動機構４のがたつき防止や操作時の節度感を有するという利点の他に、連動機構４を適正に機能させる役割をも担う。
【００３７】
以上、本発明の具体的な実施形態を説明したが、本発明はこれに限定されるものではなく、発明の思想から逸脱しない範囲内で種々な変更が可能である。
【図面の簡単な説明】
【００３８】
【図１】本発明に係る糸巻取り器の一例を示す平面図である。
【図２】図１のII−II線に沿う断面図である。
【図３】図１のIII−III線に沿う断面図である。
【図４】図２のIV−IV線に沿う断面図である。
【図５】（Ａ）は、ガイド部の構造を示す正面図であり、（Ｂ）は、（Ａ）のＢ−Ｂ線に沿う断面図である。
【図６】本発明に係る糸巻取り器の使用状態の一例を示す平面図である。
【図７】本発明に係る糸巻取り器の使用状態の一例を示す平面図である。
【符号の説明】
【００３９】
Ａ      糸巻取り器
Ｃ１    軸心（第１の軸心）
Ｃ２    軸心（第２の軸心）
Ｓ      糸巻
Ｙ      糸
１      フレーム
２      回転部材
３      回転軸
４      連動機構（連動手段）
５      ロック機構
６      固定部（固定手段）
２３    操作部
２５    糸通し穴
【図１】
2008006148.tif 000003
【図２】
2008006148.tif 000004
【図３】
2008006148.tif 000005
【図４】
2008006148.tif 000006
【図５】
2008006148.tif 000007
【図６】
2008006148.tif 000008
【図７】
2008006148.tif 000009